(57)【特許請求の範囲】
【請求項１】
本体を含み、前記本体は整理空間を含み、前記整理空間の中には製造機構が設置され、前記整理空間の右端壁には移動スライド溝が形成され、前記移動スライド溝の中には移動スライダがスライド可能に設置され、前記移動スライダには第一回転軸が回転可能に設置され、前記移動スライダの左端壁には環状スライド溝が形成され、前記環状スライド溝の中には環状スライダがスライド可能に設置され、前記環状スライダの外端面は環状摩擦面であり、前記環状スライダの左端面には第一コンロッドが固定的に設置され、前記第一コンロッドの左端面には環状固定ブロックが固定的に設置され、前記第一回転軸の左端には固定円形ブロックが固定的に設置され、前記固定円形ブロックの右端面には第一協働板が設置され、前記第一協働板には第一特殊抜き穴が設置され、前記固定円形ブロックの左端面には第二協働板が設置され、前記第二協働板には第二特殊抜き穴が設置され、前記環状固定ブロックには均等に配列された第二コンロッドがスライド可能に設置され、前記第二コンロッドの外端には支持ブロックが固定的に設置され、互いに隣り合わない前記第二コンロッドの内端の左端面には前記第二特殊抜き穴まで伸びられる第三コンロッドが固定的に設置され、他の前記第二コンロッドの内端の右端面には前記第一特殊抜き穴まで伸びられる連結コンロッドが固定的に設置され、前記固定円形ブロックの右側に位置する前記第一回転軸には第三協働板が固定的に設置され、前記第三協働板には第三特殊抜き穴が設置され、前記第一コンロッドが前記第三特殊抜き穴を通り抜けることができ、
前記整理空間の下側後端壁には矩形スライド溝が形成され、前記矩形スライド溝の中には動力スライダがスライド可能に設置され、前記矩形スライド溝の後端壁には第一伝動空間が設置され、前記動力スライダの前端面にはＵ型板が固定的に設置され、前記動力スライダの後端面には固定ロッドが固定的に設置され、
前記第一伝動空間の前端壁において前記矩形スライド溝の中心部には第二回転軸が回転可能に設置され、前記第二回転軸には前記固定ロッドでスライド可能な第四コンロッドが固定的に設置され、前記第二回転軸の後端には第一傘歯車が固定的に設置され、前記第一伝動空間の右端には第三回転軸が回転可能に設置され、前記第三回転軸の左端には第一一方向ベアリングが設置され、前記第一一方向ベアリングには第二傘歯車が設置され、
前記整理空間の上端壁には材料供給空間が設置され、前記材料供給空間の中には第四回転軸が回転可能に設置され、前記第四回転軸には螺旋状ブロックが設置され、前記材料供給空間の下端の前後端壁には冷却金型が設置され、前記材料供給空間の上側の左端壁には材料供給管が前記材料供給空間と連通するように設置され、前記材料供給管の左端には外部連結口が固定的に設置され、前記材料供給空間の上側には第二伝動空間が設置され、前記第二伝動空間の中に位置する前記第四回転軸には第三傘歯車が固定的に設置され、前記第二伝動空間の右端には第五回転軸が回転可能に設置され、前記第五回転軸の左端には第二一方向ベアリングが設置され、前記第二一方向ベアリングには前記第三傘歯車と噛み合える第四傘歯車が設置され、
前記第二伝動空間の右端壁にはモーターが設置され、前記モーターの左端面と前記第五回転軸とが回転可能に連結され、前記モーターの右側には第四伝動空間が設置され、前記モーターの右端面には第六回転軸が回転可能に設置され、前記第四伝動空間の中に位置する前記第六回転軸には第一プーリが固定的に設置され、前記第四伝動空間の中に位置する前記第三回転軸には第二プーリが固定的に設置され、前記第二プーリと前記第一プーリとの間には摩擦ベルトが設置され、前記第一回転軸の右端には摩擦車が固定的に設置され、前記摩擦車と前記摩擦ベルトとが摩擦力により連結され、
前記モーターを始動し、外部の材料は前記外部連結口に連結され、材料は前記外部連結口を介して前記材料供給管に入り、前記材料供給管に入った材料はさらに前記材料供給空間に入り、前記モーターを始動して正方向に回転させることにより前記第五回転軸が正方向に回転し、前記第五回転軸が正方向に回転することにより前記第四傘歯車が正方向に回転し、前記第四傘歯車が正方向に回転することにより前記第三傘歯車が正方向に回転し、前記第三傘歯車が回転することにより前記第四回転軸が回転し、前記第四回転軸が回転することにより前記螺旋状ブロックが回転し、前記螺旋状ブロックが回転しながら前記材料供給空間に入った材料を下方に押し出し、この時、材料は押し出されて下方に移動し、前記冷却金型を介して金箔になって前記整理空間に入り、前記モーターが正方向に回転することにより前記第六回転軸が正方向に回転し、前記第六回転軸が正方向に回転することにより前記第一プーリが正方向に回転し、前記第一プーリが正方向に回転することにより前記摩擦ベルトが正方向に回転し、前記摩擦ベルトが正方向に回転することで、前記摩擦車が回転し、前記移動スライダが前記移動スライド溝の上端に位置し、前記摩擦車が回転することにより前記第一回転軸が回転し、前記第一回転軸が回転することにより前記第三協働板が回転し、前記第三協働板が回転することにより前記第一コンロッドが回転し、前記第一コンロッドが回転することにより前記環状固定ブロックが回転し、前記環状固定ブロックが回転して前記第二コンロッドにより前記支持ブロックを回転させ、前記支持ブロックが回転しながら製造された金箔を巻き取り、前記第二プーリが回転することにより前記第三回転軸は回転するが、前記第一一方向ベアリングの存在のため、前記第二傘歯車は回転しなく、前記支持ブロックに金箔がいっぱいあるとき、前記モーターが逆方向に回転し、前記モーターが逆方向に回転することにより前記第五回転軸は逆方向に回転するが、前記第二一方向ベアリングの存在のため、前記第四傘歯車は回転しなく、前記本体が逆方向に回転することにより前記第六回転軸が逆方向に回転し、前記第六回転軸が逆方向に回転することにより前記第一プーリが逆方向に回転し、前記第一プーリが逆方向に回転することにより前記摩擦ベルトが逆方向に回転し、前記摩擦ベルトが逆方向に回転することにより前記摩擦車が逆方向に回転し、前記摩擦車が逆方向に回転することにより前記移動スライダが下方にスライドし、前記移動スライダが下方に前記移動スライド溝の最下端までスライドしたとき、前記摩擦車が逆方向に回転することにより前記第一回転軸が逆方向に回転し、前記第三協働板が逆方向に回転し、前記第三協働板に前記第三特殊抜き穴があるため、前記第一コンロッドが前記環状摩擦面の存在で一時的に回転しなく、この時、前記第一回転軸が逆方向に回転することにより前記固定円形ブロックが逆方向に回転し、前記固定円形ブロックが逆方向に回転することにより前記第二協働板と前記第一協働板が逆方向に回転し、この時、前記第三コンロッドと前記連結コンロッドの作用及び前記第二特殊抜き穴と前記第一特殊抜き穴との協働で、前記第二コンロッドが間欠的に下方へスライドし、前記第二コンロッドが間欠的に下方にスライドすることにより前記支持ブロックが開けられ、前記第三回転軸が回転することにより前記第二傘歯車が回転し、前記第二傘歯車が回転することにより前記第一傘歯車が回転し、前記第一傘歯車が回転することにより前記第二回転軸が回転し、前記第二回転軸が回転して前記第四コンロッドにより前記固定ロッドと協働することにより前記固定ロッドが前記動力スライダを前記矩形スライド溝の中でスライドさせ、前記動力スライダがスライドすることにより前記Ｕ型板がスライドして製造された金箔を取り出すことを特徴とする金属スタンピング加工法を利用する金箔製造装置。
【発明の詳細な説明】
【技術分野】
【０００１】
本願発明は金属スタンピング分野に関し、具体的には金属スタンピング加工法を利用する金箔製造装置である。
【背景技術】
【０００２】
金箔は、金として安定性が高く、永久的に変色しなく、耐酸化性、耐湿性、耐食性、防カビ性、防虫性を有し、放射線を遮断でき、金で作られた金箔は幅広い用途があるが、現在、市場にある金箔製造装置は単一機能を備えており、手動操作が必要である。上記の問題を解決するために金属スタンピング加工法を利用する金箔製造装置を設計する必要がある。
【先行技術文献】
【特許文献】
【０００３】
【特許文献１】中国特許出願公開第１０１７８６１２２号明細書
【発明の概要】
【発明が解決しようとする課題】
【０００４】
本願発明は金属スタンピング加工法を利用する金箔製造装置を提供し、既存技術にある上記の欠点を解消することを目的とする。
【課題を解決するための手段】
【０００５】
本願発明は以下の技術プランにより実現される。
【０００６】
本願発明に記載の金属スタンピング加工法を利用する金箔製造装置は、本体を含み、前記本体は整理空間を含み、
前記整理空間の中には製造機構が設置され、前記整理空間の右端壁には移動スライド溝が形成され、前記移動スライド溝の中には移動スライダがスライド可能に設置され、前記移動スライダには第一回転軸が回転可能に設置され、前記移動スライダの左端壁には環状スライド溝が形成され、前記環状スライド溝の中には環状スライダがスライド可能に設置され、前記環状スライダの外端面は環状摩擦面であり、前記環状スライダの左端面には第一コンロッドが固定的に設置され、前記第一コンロッドの左端面には環状固定ブロックが固定的に設置され、前記第一回転軸の左端には固定円形ブロックが固定的に設置され、前記固定円形ブロックの右端面には第一協働板が設置され、前記第一協働板には第一特殊抜き穴が設置され、前記固定円形ブロックの左端面には第二協働板が設置され、前記第二協働板には第二特殊抜き穴が設置され、前記環状固定ブロックには均等に配列された第二コンロッドがスライド可能に設置され、前記第二コンロッドの外端には支持ブロックが固定的に設置され、互いに隣り合わない前記第二コンロッドの内端の左端面には前記第二特殊抜き穴まで伸びられる第三コンロッドが固定的に設置され、他の前記第二コンロッドの内端の右端面には前記第一特殊抜き穴まで伸びられる連結コンロッドが固定的に設置され、前記固定円形ブロックの右側に位置する前記第一回転軸には第三協働板が固定的に設置され、前記第三協働板には第三特殊抜き穴が設置され、前記第一コンロッドが前記第三特殊抜き穴を通り抜けることができる。
【０００７】
前記整理空間の下側後端壁には矩形スライド溝が形成され、前記矩形スライド溝の中には動力スライダがスライド可能に設置され、前記矩形スライド溝の後端壁には第一伝動空間が設置され、前記動力スライダの前端面にはＵ型板が固定的に設置され、前記動力スライダの後端面には固定ロッドが固定的に設置されている。
【０００８】
前記第一伝動空間の前端壁において前記矩形スライド溝の中心部には第二回転軸が回転可能に設置され、前記第二回転軸には前記固定ロッドでスライド可能な第四コンロッドが固定的に設置され、前記第二回転軸の後端には第一傘歯車が固定的に設置され、前記第一伝動空間の右端には第三回転軸が回転可能に設置され、前記第三回転軸の左端には第一一方向ベアリングが設置され、前記第一一方向ベアリングには第二傘歯車が設置されている。
【０００９】
前記整理空間の上端壁には材料供給空間が設置され、前記材料供給空間の中には第四回転軸が回転可能に設置され、前記第四回転軸には螺旋状ブロックが設置され、前記材料供給空間の下端の前後端壁には冷却金型が設置され、前記材料供給空間の上側の左端壁には材料供給管が前記材料供給空間と連通するように設置され、前記材料供給管の左端には外部連結口が固定的に設置され、前記材料供給空間の上側には第二伝動空間が設置され、前記第二伝動空間の中に位置する前記第四回転軸には第三傘歯車が固定的に設置され、前記第二伝動空間の右端には第五回転軸が回転可能に設置され、前記第五回転軸の左端には第二一方向ベアリングが設置され、前記第二一方向ベアリングには前記第三傘歯車と噛み合える第四傘歯車が設置されている。
【００１０】
前記第二伝動空間の右端壁にはモーターが設置され、前記モーターの左端面と前記第五回転軸とが回転可能に連結され、前記モーターの右側には第四伝動空間が設置され、前記モーターの右端面には第六回転軸が回転可能に設置され、前記第四伝動空間の中に位置する前記第六回転軸には第一プーリが固定的に設置され、前記第四伝動空間の中に位置する前記第三回転軸には第二プーリが固定的に設置され、前記第二プーリと前記第一プーリとの間には摩擦ベルトが設置され、前記第一回転軸の右端には摩擦車が固定的に設置され、前記摩擦車と前記摩擦ベルトとが摩擦力により連結されている。
【発明の効果】
【００１１】
本願発明は構成が簡単で、操作が便利であり、金箔を速く製造でき、使用に便利を与えるために製造された金箔を自動的に巻き取ることができ、手動操作が不要で、高度な自動化を実現でき、そして、本願発明内部の各機構が緊密に協働でき、金箔を取り出す時に金箔の品質に影響を与えなく、一体化の度合いが高い。
【図面の簡単な説明】
【００１２】
下記に図１〜７をあわせて本発明について詳しく説明し、便利に説明するために、下記の方向を以下のように規定する：図１は本願発明の正面図であり、本願に記載の各方向が、図１と同じ向きに本願発明を見た際の方向である。
【００１３】
【図１】図１は本願発明の構成概略図
【図２】図２は図１におけるＡの拡大構成概略図
【図３】図３は図１におけるＢ―Ｂの構成概略図
【図４】図４は図２におけるＣ―Ｃの拡大構成概略図
【図５】図５は図２におけるＤ―Ｄの拡大構成概略図
【図６】図６は図２におけるＥ―Ｅの構成概略図
【図７】図７は図２におけるＦ―Ｆの構成概略図
【発明を実施するための形態】
【００１４】
図１〜７に記載の金属スタンピング加工法を利用する金箔製造装置は、本体１０を含み、前記本体１０は整理空間３２を含み、前記整理空間３２の中には製造機構９０が設置され、前記整理空間３２の右端壁には移動スライド溝１３が形成され、前記移動スライド溝１３の中には移動スライダ６０がスライド可能に設置され、前記移動スライダ６０には第一回転軸１４が回転可能に設置され、前記移動スライダ６０の左端壁には環状スライド溝５９が形成され、前記環状スライド溝５９の中には環状スライダ５８がスライド可能に設置され、前記環状スライダ５８の外端面は環状摩擦面５７であり、前記環状スライダ５８の左端面には第一コンロッド５５が固定的に設置され、前記第一コンロッド５５の左端面には環状固定ブロック４８が固定的に設置され、前記第一回転軸１４の左端には固定円形ブロック５２が固定的に設置され、前記固定円形ブロック５２の右端面には第一協働板５３が設置され、前記第一協働板５３には第一特殊抜き穴６４が設置され、前記固定円形ブロック５２の左端面には第二協働板５１が設置され、前記第二協働板５１には第二特殊抜き穴６３が設置され、前記環状固定ブロック４８には均等に配列された第二コンロッド４７がスライド可能に設置され、前記第二コンロッド４７の外端には支持ブロック４６が固定的に設置され、互いに隣り合わない前記第二コンロッド４７の内端の左端面には前記第二特殊抜き穴６３まで伸びられる第三コンロッド５０が固定的に設置され、他の前記第二コンロッド４７の内端の右端面には前記第一特殊抜き穴６４まで伸びられる連結コンロッド４９が固定的に設置され、前記固定円形ブロック５２の右側に位置する前記第一回転軸１４には第三協働板５６が固定的に設置され、前記第三協働板５６には第三特殊抜き穴６５が設置され、前記第一コンロッド５５が前記第三特殊抜き穴６５を通り抜けることができる。
【００１５】
前記整理空間３２の下側後端壁には矩形スライド溝３３が形成され、前記矩形スライド溝３３の中には動力スライダ３５がスライド可能に設置され、前記矩形スライド溝３３の後端壁には第一伝動空間４４が設置され、前記動力スライダ３５の前端面にはＵ型板３４が固定的に設置され、前記動力スライダ３５の後端面には固定ロッド３８が固定的に設置され、前記第一伝動空間４４の前端壁において前記矩形スライド溝３３の中心部には第二回転軸４０が回転可能に設置され、前記第二回転軸４０には前記固定ロッド３８でスライド可能な第四コンロッド３７が固定的に設置され、前記第二回転軸４０の後端には第一傘歯車３９が固定的に設置され、前記第一伝動空間４４の右端には第三回転軸１２が回転可能に設置され、前記第三回転軸１２の左端には第一一方向ベアリング４２が設置され、前記第一一方向ベアリング４２には第二傘歯車４１が設置されている。
【００１６】
前記整理空間３２の上端壁には材料供給空間３１が設置され、前記材料供給空間３１の中には第四回転軸２９が回転可能に設置され、前記第四回転軸２９には螺旋状ブロック２６が設置され、前記材料供給空間３１の下端の前後端壁には冷却金型３０が設置され、前記材料供給空間３１の上側の左端壁には材料供給管２７が前記材料供給空間３１と連通するように設置され、前記材料供給管２７の左端には外部連結口２８が固定的に設置され、前記材料供給空間３１の上側には第二伝動空間２４が設置され、前記第二伝動空間２４の中に位置する前記第四回転軸２９には第三傘歯車２５が固定的に設置され、前記第二伝動空間２４の右端には第五回転軸２３が回転可能に設置され、前記第五回転軸２３の左端には第二一方向ベアリング２２が設置され、前記第二一方向ベアリング２２には前記第三傘歯車２５と噛み合える第四傘歯車２１が設置されている。
【００１７】
前記第二伝動空間２４の右端壁にはモーター２０が設置され、前記モーター２０の左端面と前記第五回転軸２３とが回転可能に連結され、前記モーター２０の右側には第四伝動空間１６が設置され、前記モーター２０の右端面には第六回転軸１９が回転可能に設置され、前記第四伝動空間１６の中に位置する前記第六回転軸１９には第一プーリ１８が固定的に設置され、前記第四伝動空間１６の中に位置する前記第三回転軸１２には第二プーリ１１が固定的に設置され、前記第二プーリ１１と前記第一プーリ１８との間には摩擦ベルト１７が設置され、前記第一回転軸１４の右端には摩擦車１５が固定的に設置され、前記摩擦車１５と前記摩擦ベルト１７とが摩擦力により連結されている。
【００１８】
本願発明の作動状態は以下の通りである。
【００１９】
前記モーター２０を始動し、外部の材料は前記外部連結口２８に連結され、材料は前記外部連結口２８を介して前記材料供給管２７に入り、前記材料供給管２７に入った材料はさらに前記材料供給空間３１に入り、前記モーター２０を始動して正方向に回転させることにより前記第五回転軸２３が正方向に回転し、前記第五回転軸２３が正方向に回転することにより前記第四傘歯車２１が正方向に回転し、前記第四傘歯車２１が正方向に回転することにより前記第三傘歯車２５が正方向に回転し、前記第三傘歯車２５が回転することにより前記第四回転軸２９が回転し、前記第四回転軸２９が回転することにより前記螺旋状ブロック２６が回転し、前記螺旋状ブロック２６が回転しながら前記材料供給空間３１に入った材料を下方に押し出し、この時、材料は押し出されて下方に移動し、前記冷却金型３０を介して金箔になって前記整理空間３２に入り、前記モーター２０が正方向に回転することにより前記第六回転軸１９が正方向に回転し、前記第六回転軸１９が正方向に回転することにより前記第一プーリ１８が正方向に回転し、前記第一プーリ１８が正方向に回転することにより前記摩擦ベルト１７が正方向に回転し、前記摩擦ベルト１７が正方向に回転することで、前記摩擦車１５が回転し、前記移動スライダ６０が前記移動スライド溝１３の上端に位置し、前記摩擦車１５が回転することにより前記第一回転軸１４が回転し、前記第一回転軸１４が回転することにより前記第三協働板５６が回転し、前記第三協働板５６が回転することにより前記第一コンロッド５５が回転し、前記第一コンロッド５５が回転することにより前記環状固定ブロック４８が回転し、前記環状固定ブロック４８が回転して前記第二コンロッド４７により前記支持ブロック４６を回転させ、前記支持ブロック４６が回転しながら製造された金箔を巻き取り、前記第二プーリ１１が回転することにより前記第三回転軸１２は回転するが、前記第一一方向ベアリング４２の存在のため、前記第二傘歯車４１は回転しなく、前記支持ブロック４６に金箔がいっぱいあるとき、前記モーター２０が逆方向に回転し、前記モーター２０が逆方向に回転することにより前記第五回転軸２３は逆方向に回転するが、前記第二一方向ベアリング２２の存在のため、前記第四傘歯車２１は回転しなく、前記本体１０が逆方向に回転することにより前記第六回転軸１９が逆方向に回転し、前記第六回転軸１９が逆方向に回転することにより前記第一プーリ１８が逆方向に回転し、前記第一プーリ１８が逆方向に回転することにより前記摩擦ベルト１７が逆方向に回転し、前記摩擦ベルト１７が逆方向に回転することにより前記摩擦車１５が逆方向に回転し、前記摩擦車１５が逆方向に回転することにより前記移動スライダ６０が下方にスライドし、前記移動スライダ６０が下方に前記移動スライド溝１３の最下端までスライドしたとき、前記摩擦車１５が逆方向に回転することにより前記第一回転軸１４が逆方向に回転し、前記第三協働板５６が逆方向に回転し、前記第三協働板５６に前記第三特殊抜き穴６５があるため、前記第一コンロッド５５が前記環状摩擦面５７の存在で一時的に回転しなく、この時、前記第一回転軸１４が逆方向に回転することにより前記固定円形ブロック５２が逆方向に回転し、前記固定円形ブロック５２が逆方向に回転することにより前記第二協働板５１と前記第一協働板５３が逆方向に回転し、この時、前記第三コンロッド５０と前記連結コンロッド４９の作用及び前記第二特殊抜き穴６３と前記第一特殊抜き穴６４との協働で、前記第二コンロッド４７が間欠的に下方へスライドし、前記第二コンロッド４７が間欠的に下方にスライドすることにより前記支持ブロック４６が開けられ、前記第三回転軸１２が回転することにより前記第二傘歯車４１が回転し、前記第二傘歯車４１が回転することにより前記第一傘歯車３９が回転し、前記第一傘歯車３９が回転することにより前記第二回転軸４０が回転し、前記第二回転軸４０が回転して前記第四コンロッド３７により前記固定ロッド３８と協働することにより前記固定ロッド３８が前記動力スライダ３５を前記矩形スライド溝３３の中でスライドさせ、前記動力スライダ３５がスライドすることにより前記Ｕ型板３４がスライドして製造された金箔を取り出す。
【００２０】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。
【要約】
【課題】本願発明は金属スタンピング加工法を利用する金箔製造装置を開示した。
【解決手段】
本体を含み、前記本体は整理空間を含み、前記整理空間の中には製造機構が設置され、前記整理空間の右端壁には移動スライド溝が形成され、前記移動スライド溝の中には移動スライダがスライド可能に設置され、前記移動スライダには第一回転軸が回転可能に設置され、前記移動スライダの左端壁には環状スライド溝が形成され、前記環状スライド溝の中には環状スライダがスライド可能に設置され、本願発明は構成が簡単で、操作が便利であり、金箔を速く製造でき、使用に便利を与えるために製造された金箔を自動的に巻き取ることができ、手動操作が不要で、高度な自動化を実現でき、そして、本願発明内部の各機構が緊密に協働でき、金箔を取り出す時に金箔の品質に影響を与えなく、一体化の度合いが高い。
【選択図】図１【図１】
0006842007.tif 000002
【図２】
0006842007.tif 000003
【図３】
0006842007.tif 000004
【図４】
0006842007.tif 000005
【図５】
0006842007.tif 000006
【図６】
0006842007.tif 000007
【図７】
0006842007.tif 000008